(57)【要約】【課題】詰め替え用のティシュペーパーの積層体を収納箱に入れるときの抵抗が低減された収納箱を提供する。【解決手段】原紙によって構成される収納箱に衛生用紙を収納する収納箱であって、収納箱の内面の少なくとも一部のスムースター平滑度が３０．０ｋＰａ以下であることを特徴とする。【選択図】図４
2020040669.tif 000002
【特許請求の範囲】
【請求項１】
原紙によって構成される収納箱に衛生用紙を収納する収納箱であって、
前記収納箱の内面の少なくとも一部のスムースター平滑度が３０．０ｋＰａ以下であることを特徴とする収納箱。
【請求項２】
原紙によって構成される収納箱に衛生用紙を収納する収納箱であって、
前記収納箱の内面の少なくとも一部の静摩擦係数が０．１０以上、０．４０以下であることを特徴とする収納箱。
【請求項３】
前記収納箱は、前記収納箱の内面の少なくとも一部に、塗布されることで形成された塗布部をさらに有することを特徴とする請求項１または請求項２に記載の収納箱。
【請求項４】
前記塗布部には、アクリル系またはスチレン系の塗材が塗布されることを特徴とする請求項３に記載の収納箱。
【請求項５】
前記収納箱は、一対の短側面と二対の長側面を備えた略直方体を呈しており、前記一対の短側面の一面と前記二対の長側面の一面とを接続する側辺と対向する前記短側面の前記一面の側辺から延出するタブを備えることを特徴とする請求項１〜４のいずれか一項に記載の収納箱。
【請求項６】
前記長側面の前記一面は、前記収納箱の天面を含むことを特徴とする請求項５に記載の収納箱。
【請求項７】
前記原紙の坪量は、２５０ｇ／ｍ2以上、４５０ｇ／ｍ2以下であることを特徴とする請求項１〜６のいずれか一項に記載の収納箱。
【請求項８】
前記原紙の厚みは、３００μｍ以上、６００μｍ以下であることを特徴とする請求項１〜７のいずれか一項に記載の収納箱。
【発明の詳細な説明】
【技術分野】
【０００１】
本発明は、ティシュペーパーを収納する収納箱に関し、詳しくは、ティシュペーパーを積層した積層体を収納する収納箱に関する。
【背景技術】
【０００２】
従来、積層されたティシュペーパーを収納しそれらを分離して使用に供するとともに、それらが使い尽くされたときには、ユーザが、替えの積層ティシュペーパーを再収納して使用に供する収納箱が提供されている。
【０００３】
特許文献１では、ティシュペーパーを収納箱に収納して収納箱の側面を閉める際、ティシュペーパーの積層体に収納箱の側面に備えられたフラップを差し込んでしまうのを防ぐために、収納箱の底面にフラップの挿入を案内するシートを設けることが記載されている。
【先行技術文献】
【特許文献】
【０００４】
【特許文献１】特開２００５−５３５３４号公報
【発明の概要】
【発明が解決しようとする課題】
【０００５】
ユーザがティシュペーパーの詰め替えをする収納箱の構成では、特許文献１のように底面にシートが設けられる場合、シートがティシュペーパーを収納箱に入れる際の抵抗となることがある。すなわち、収納箱の底面とシートの間に一部のティシュペーパーが入り込んでしまい、ユーザがティシュペーパーの積層体を収納箱へ収納し辛い場合がある。また、収納箱の内側の表面が粗い場合、これがティシュペーパーを収納箱に入れる際の抵抗となることもある。すなわち、積層体が収納箱の側面などに接触することで積層体と収納箱との間で強い摩擦力が発生することがあり、これによってユーザが入れにくいと感じることがある。
【０００６】
よって、本発明の目的は、詰め替え用のティシュペーパーの積層体を収納箱に入れるときの抵抗が低減された収納箱を提供することにある。
【課題を解決するための手段】
【０００７】
原紙によって構成される収納箱に衛生用紙を収納する収納箱であって、前記収納箱の内面の少なくとものスムースター平滑度が３０．０ｋＰａ以下であることを特徴とする。
【発明の効果】
【０００８】
本発明によれば、収納箱に詰め替え用の積層体を容易に収納することができる。
【図面の簡単な説明】
【０００９】
【図１】本発明の第１実施形態に係る収納箱を示す斜視図である。
【図２】図１の収納箱の展開シートを示す下面図である。
【図３】本発明の第１実施形態の変形例に係る収納箱を示す図であって、図１の収納箱の展開シートを示す下面図である。
【図４】本発明の第１実施形態に係る収納箱に衛生用紙を収納する前の斜視図である。
【図５】本発明の第１実施形態に係る収納箱に衛生用紙を収納している状態の斜視図である。
【図６】本発明の第１実施形態に係る収納箱に衛生用紙を収納した斜視図である。
【図７】本発明の第１実施形態に係る収納箱の斜視図である。
【図８】本発明の第１実施形態に係る収納箱の製造時における梱包工程の外観図である。
【図９】本発明の第２実施形態に係る収納箱の展開シートを示す下面図である。
【図１０】本発明の第２実施形態に係る収納箱を示す斜視図である。
【発明を実施するための形態】
【００１０】
以下、図面を参照して本発明を詳細に説明する。
【００１１】
（第１実施形態）
図１は、本発明の第１実施形態に係る収納箱の斜視図である。また、図２は、図１の収納箱を展開した展開シートの下面図である。本実施形態の収納箱１０には、ティシュペーパーＰをポップアップ式に取出し可能に積層した積層体２０（図４参照）を収納する。
【００１２】
収納箱１０は、天面と底面と一対の短側面と一対の長側面を備えた略直方体である。天面１と対向する底面２と、天面１の長手方向側辺につながる第１長側面３と、天面１と底面２との間に位置する長手方向側辺につながる第２長側面４によって、長手方向の各面を形成している。すなわち、第１長側面３、天面１、第２長側面４、底面２の順に並び、底面２における第２長側面４側と反対側に設けられた糊しろ８が第１長側面３と接合され、収納箱１０が形成されている。また、展開シート１０ａにおいて、本実施形態の収納箱１０の天面１、底面２、第１長側面３、第２長側面４の各内側（収納箱１０の内面）には、コート剤を塗布することによって、それぞれ、塗布部１ｂ、２ｂ、３ｂ、４ｂが形成される。天面１については、後述の取出し口１１を除いた内側の面に塗布部１ｂが形成され、底面２、第１長側面３、第２長側面４については、内側の全面に、それぞれ、塗布部２ｂ、３ｂ、４ｂが形成されている。本発明では、これに限られず、収納箱１０の内面の少なくとも一部に塗布部を形成してもよい。
【００１３】
図３は、本発明の第１実施形態の変形例に係る収納箱を示す図であって、図１の収納箱の展開シートを示す下面図である。展開シート１０ｂにおいて、本実施形態の収納箱１０の天面１、底面２、第１長側面３、第２長側面４の各内側には、各面の一方の短手方向側辺からもう一方の短手方向側辺に亘って、所定の幅、かつ、所定の間隔でコート剤を塗布することによって、それぞれ、塗布部１ｂ、１ｃ、２ｂ、３ｂ、４ｂが形成される。特に、天面１については、一対の塗布部１ｂは、天面１の短手方向側辺から後述する取出し口１１の短手方向側辺に亘って形成される。また、一対の塗布部１ｃは、天面１の短手方向側辺からもう一方の短手方向側辺に亘っており、取出し口１１の長手方向側辺に沿うように形成される。本発明は、塗布部として、各面の全面や所定の幅かつ所定の間隔に形成したが、これに限らず、後述する各短側面の内側や内フラップにも形成してもよい。また、塗布部は、デザイン性があるように形成してもよい。塗布方法については、公知のものを採用できる。
【００１４】
そして、天面１の短手方向側辺につながる第１短側面５と、第１短側面５と対向するように天面１の短手方向側辺につながる第２短側面５と、第１長側面３の短手方向側辺につながる内フラップ６と、第２長側面４の短手方向側辺につながる内フラップ７とによって、短手方向の各面を形成している。さらに、第１短側面５の短手方向側辺につながる天面１の短手方向側辺と対向する側辺からタブ１５が延出している。そして、第１長側面３、天面１、第２長側面４、底面２、糊しろ８のそれぞれの境界には、折り曲げるための折り曲げ線が形成されている。第１長側面３と天面１との境界には、第１折り曲げ線Ｌ１が形成されている。そして、天面１と第２長側面４との境界には、第２折り曲げ線Ｌ２が形成されている。また、第２長側面４と底面２との境界には、第３折り曲げ線Ｌ３が形成されている。さらに、底面２と糊しろ８との境界には、第４折り曲げ線Ｌ４が形成されている。したがって、各面を折り返し、貼り合せることで収納箱１０を形成している。
【００１５】
また、収納箱１０の天面１の中央には、収納箱１０に収納されているティシュペーパーＰを取り出すための取出し口１１を形成するミシン目１１ａが設けられており、天面１の内側にプラスチック製のフィルム１２が貼付されている。フィルム１２によって、ホコリ等が収納箱１０に侵入しないように閉塞されている。さらに、フィルム１２には、取出し口１１の長手方向に沿ってスリット１２ａが形成されており、このスリット１２ａを介してティシュペーパーＰを取り出すことができる。
【００１６】
さらに、本実施形態の収納箱１０は、内フラップ６及び７を内側に折り曲げ、内フラップ６及び７と底面２とからなる空間に、タブ１５を押し込むことで第１短側面５および第２短側面５を形成している。天面１と第１短側面５および第２短側面５と接続されているため、天面１から底面２の方向に対して強度を保つことができる。また、本実施形態の収納箱１０は、上述したように、タブ１５を押し込むことで第１短側面５及び第２短側面５を形成しているため、押し込んだタブ１５を引き抜き、第１短側面５および第２短側面５、内フラップ６及び７を外側に折り返すことで開口状態となり、新たな積層体２０を挿入することができる。
【００１７】
本実施形態の収納箱１０の素材となる原紙としては、例えば、古紙パルプ等の各種のパルプを原料とする公知の紙素材などである。そして、本実施形態の収納箱１０に用いる原紙の坪量は、２５０ｇ／ｍ2以上、４５０ｇ／ｍ2以下である。また、原紙の厚みは、３００μｍ以上、６００μｍ以下である。原紙の厚みが３００μｍ未満であると、耐久性が低下し、すぐに収納箱にした時に潰れやすくなってしまう。また、原紙の厚みが６００μｍを超えると収納箱との耐久性には優れるが、厚みが増加することで収納箱を形成する際に折りにくくなってしまう。
【００１８】
本実施形態の収納箱１０の内面に塗布するコート剤、インクなどの塗料、などの塗材は、アクリル系またはスチレン系である。収納箱１０の内面にコート剤を塗布することで、収納箱１０の内面の製造時やユーザによる詰め替え用の積層体２０を収納箱１０に良好に収納することができる。例えば、アクリル系としては、アクリル酸やメタクリル酸樹脂等が挙げられる。なお、本実施形態では、コート剤はアクリル系またはスチレン系を用いているが、これらには限らない。
【００１９】
ここで、本実施形態の収納箱１０の内面の少なくとも一部は、ＪＡＰＡＮ  ＴＡＰＰＩ紙パルプ試験方法Ｎｏ．５−１に規定した方法で測定したスムースター平滑度を、３０．０ｋＰａ以下にすることが有用である。スムースター平滑度を３０．０ｋＰａを越えると、収納箱１０の内面の平滑が粗くなる。スムースター平滑度の範囲として、好ましくは、上限が２５．０ｋＰａ以下であり、下限が１．０ｋＰａ以上である。更に好ましくは、下限については、８．０ｋＰａ以上である。
【００２０】
なお、スムースター平滑度は、ＪＡＰＡＮ  ＴＡＰＰＩ  紙パルプ試験方法Ｎｏ．５−１に準拠して以下の方法で測定することができる。
（１）収納箱の原紙を６０ｍｍ四方で形成した試験片とし、内面側を上に向け、平滑度測定台上に載せる。
（２）平滑度測定用ヘッドを試験片上に載せ、平滑度測定用ヘッドの横穴（空気流入口）を押さえる。
（３）約５秒経過後、横穴を開放し、測定管の水銀柱を測定する。
【００２１】
そして、本実施形態の収納箱の内面の少なくとも一部の表面粗さＲａが０．８μｍ以下であることが好ましい。表面粗さＲａが０．８μｍ以下の内面では、好適な平滑性を得ることができる。
【００２２】
また、本実施形態の収納箱の内面の少なくとも一部の静摩擦係数は、ＪＩＳ  Ｐ８１４７紙及び板紙‐静及び動摩擦係数の測定方法に規定した方法で測定し、０．１０以上、０．４０以下であることが有効である。更に好ましくは静摩擦係数が０．１５以上、０．３０以下である。
【００２３】
なお、静摩擦係数は、ＪＩＳ  Ｐ８１４７に準拠して以下の方法で測定することができる。
（１）収納箱の原紙を５０ｍｍ四方で形成した試験片とし傾斜板に貼り付ける。
（２）ティシュペーパーを５０ｍｍ四方で切り取って試験紙とし、２００ｇの接触子に巻き付ける。また、ティシュペーパーの試験片が巻き付けられた接触子を、傾斜板に貼り付けられている原紙の試験片の上に載せる。
（３）傾斜板を水平状体から６度／秒で傾け、接触子が滑り落ちる角度を測定する。
（４）上記角度の測定を５回行い、その平均角度を算出する。求められた平均角度のタンジェントを、静摩擦係数とする。
【００２４】
図４から図７を用いて、収納箱１０に積層体２０を収納することについて説明する。
【００２５】
先ず、天面１、第１長側面３、第２長側面４、底面２、糊しろ８をそれぞれ折り返し、糊しろ８と第１長側面３を接着剤などで貼り合わせ、四角柱状の筒状にし（図４参照）、ティシュペーパーＰを積層した積層体２０を収納する（図５参照）。そして、図６のように、積層体２０を収納箱１０に収納したら、第２短側面５側の内フラップ６及び７を内側に折り返す。第１短側面５側の内フラップ６および７も折り返し、第１短側面５のタブ１５および第２短側面５のタブ１５をそれぞれ折り返したら、内フラップ６及び７と底面２からなる空間にタブ１５を差し込み、内フラップ６及び７と第１短側面５及び第２短側面５がそれぞれ重なり合うことで閉止され、図１のような収納箱１０に積層体２０が収納される。
【００２６】
また、収納箱１０を製造する製造時において、収納箱１０に積層体２０を収納する工程の一例について、図８を用いて、説明する。
【００２７】
収納箱１０に積層体２０を収納する工程は、切断された積層体２０を収納箱１０内に収納する工程である。この収納箱１０に積層体２０を収納する工程には、切断された積層体２０を一定間隔で搬送する積層体搬送ラインと、この積層体搬送ラインと同期して空の収納箱１０を一定間隔で搬送する収納箱搬送ラインとが平行に配されている。収納箱搬送ラインには、搬送コンベア２７が備えられており、収納箱搬送ラインに１つずつ送り込まれる収納箱１０は、あらかじめつぶされた折りたたみ状態にある。この状態から、収納箱１０の第１長側面３および第２長側面４を垂直に起立させ、積層体２０が収納される空間Ｒを形成する。この場合、収納箱１０の天面１および底面２と第１長側面３および第２長側面４の短手方向には、収納箱の短側面を封止するための第１短側面５および第２短側面５と内フラップ６、７が開いた状態となっている。積層体２０を収納箱１０の空間Ｒ内に差し入れる場合、収納箱１０の左右何れか一方側に位置する第１短側面５または第２短側面５を開いた状態で挿入する。図４に示す第１短側面５および第２短側面５の開閉状態は、収納箱搬送ラインに沿って配設された短側面開閉手段によって操作される。この短側面開閉手段は、公知の構成を持つものを採用する。積層体２０は、収納箱１０の左右の短側面のうち積層体搬送ラインと対向する側から押し棒３２によって収納箱１０の空間Ｒ内に押し込まれる。
【００２８】
なお、本実施形態では、積層体２０を収納箱１０の空間Ｒ内に押し込む場合、積層体２０が挿入される側の反対側に位置する内フラップ６、７を内側に折り曲げ、他のすべての内フラップ６、７と第１短側面５および第２短側面５を外側に開いた状態にしている。そして、積層体２０が挿入された側の内フラップ６、７を内側に折り曲げ、第１短側面５および第２短側面５に延在するタブ１５を内側に折り曲げ、内フラップ６，７と底面２とからなる空間にタブ１５を差し込み、内フラップ６、７と第１短側面５および第２短側面５がそれぞれ重なり合うことで閉止される。
【００２９】
このように、本発明の実施形態の収納箱によれば、その内面のスムースター平滑度を３０．０ｋＰａ以下にすることで、滑らかになり、積層体を収納箱に入れるときに受ける抵抗を小さくすることができる。その結果、収納工程での作業効率を向上させることができる。さらに、紙粉の発生を低減することもできる。
【００３０】
（第２実施形態）
続いて、図９および図１０を参照し、本発明の第２実施形態について説明する。図９は、本発明の第２実施形態に係る収納箱の展開シートの下面図である。第２実施形態では、天面１の短手方向側辺につながる外フラップ１６と、底面２の短手方向側面につながる外フラップ１７と、第１長側面３の短手方向側辺につながる内フラップ６と、第２長側面４の短手方向側辺につながる内フラップ７とによって、短手方向の各面を形成している。
【００３１】
収納箱１０に積層体２０を収納するには、先ず、第１実施形態と同様に、天面１、第１長側面３、第２長側面４、底面２、糊しろ８をそれぞれ折り返し、糊しろ８と第１長側面３を接着剤などで貼り合わせ、四角柱状の筒状にし、ティシュペーパーＰを積層した積層体２０を収納する。そして、積層体２０を収納箱１０に収納したら、内フラップ６及び７を内側にそれぞれ折り返す。底面２の短手方向側辺につながる外フラップ１７をそれぞれ内側に折り返し、天面１の短手方向側辺につながる外フラップ１６をそれぞれ内側に折り返し、内フラップ６及び７の上に重ねて折り曲げられて、端面が形成される。よって、図１０に示すように、収納箱１０に積層体２０が収納される。
【００３２】
このように、本実施形態においても、収納箱の内面のスムースター平滑度を３０．０ｋＰａ以下にすることで積層体を容易に挿入することができる。
【００３３】
なお、本発明は、上述した実施形態に限られること無く、適宜の変形、修正および代替などが可能である。例えば、本実施形態では、一対の短側面を天面と接続したが、短側面の一方を天面と接続し、もう一方を対向するように底面と接続するようにしてもよい。また、タブと各短側面とを接続している折り返し線に切り込みを入れ、切り込み部分と閉止した際に内フラップとが係合するようにし、抜けにくくするようにしてもよい。さらに、長側面の一部を切り抜いてデザインを付与したり、積層体の残量を可視化するようにしてもよい。
【符号の説明】
【００３４】
１      天面
１ｂ    塗布部
１ｃ    塗布部
２      底面
２ｂ    塗布部
３      第１長側面
３ｂ    塗布部
４      第２長側面
４ｂ    塗布部
５      第１短側面、第２短側面
６      内フラップ
７      内フラップ
８      糊しろ
１０    収納箱
１１    取り出し口
１１ａ  ミシン目
１２    フィルム
１２ａ  スリット
１５    タブ
１６    外フラップ
１７    外フラップ
２０    積層体
【図１】
2020040669.tif 000003
【図２】
2020040669.tif 000004
【図３】
2020040669.tif 000005
【図４】
2020040669.tif 000006
【図５】
2020040669.tif 000007
【図６】
2020040669.tif 000008
【図７】
2020040669.tif 000009
【図８】
2020040669.tif 000010
【図９】
2020040669.tif 000011
【図１０】
2020040669.tif 000012
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
原紙によって構成される収納箱に衛生用紙を収納する収納箱であって、
前記収納箱の内面の少なくとも一部に、塗材が塗布されることで形成された塗布部を有し、
前記塗布部は、スムースター平滑度が３０．０ｋＰａ以下であることを特徴とする収納箱。
【請求項２】
原紙によって構成される収納箱に衛生用紙を収納する収納箱であって、
前記収納箱の内面の少なくとも一部に、塗材が塗布されることで形成された塗布部を有し、
前記塗布部は、静摩擦係数が０．１０以上、０．４０以下であることを特徴とする収納箱。
【請求項３】
前記塗布部には、アクリル系またはスチレン系の塗材が塗布されることを特徴とする請求項１または請求項２に記載の収納箱。
【請求項４】
前記収納箱は、一対の短側面と二対の長側面を備えた略直方体を呈しており、前記一対の短側面の一面と前記二対の長側面の一面とを接続する側辺と対向する前記短側面の前記一面の側辺から延出するタブを備えることを特徴とする請求項１〜３のいずれか一項に記載の収納箱。
【請求項５】
前記長側面の前記一面は、前記収納箱の天面を含むことを特徴とする請求項４に記載の収納箱。
【請求項６】
前記原紙の坪量は、２５０ｇ／ｍ2以上、４５０ｇ／ｍ2以下であることを特徴とする請求項１〜５のいずれか一項に記載の収納箱。
【請求項７】
前記原紙の厚みは、３００μｍ以上、６００μｍ以下であることを特徴とする請求項１〜６のいずれか一項に記載の収納箱。